【事件の表示】
　平成　２年特許願第　３５７２４号「スクランブル方式及びスクランブル信号の受信装置」拒絶査定に対する審判事件［平成　３年１０月２４日出願公開、特開平　３−２３９０３３］について、次のとおり審決する。
【結　論】
　本件審判の請求は、成り立たない。
【理　由】
１．手続きの経緯・本願発明
　本願は、平成２年２月１６日の出願であって、その特許を受けようとする発明は、補正された明細書及び図面の記載からみて、特許請求の範囲の請求項１乃至請求項５に記載されたとおりのもの（請求項１に係る発明を、以下、本願発明という。）と認められる。そして、その請求項１の記載は次のとおりである。
「信号をスクランブルするための第1及び第２の鍵を用意し、
　上記第１及び第２の鍵を交互に切り換えて用いて上記信号をスクランブルし、
　上記第１及び第２の鍵を切り換えて用いてスクランブルされた信号と、上記第１及び第２の鍵と、上記スクランブルされた信号が上記第１及び第２の鍵のいずれに基づいてスクランブルされたものであるかを示す識別信号とを多重して伝送することを特徴とするスクランブル方法。」
　
２．引用例
　これに対して、当審における、平成１３年４月５日付けで通知した拒絶の理由に引用した、本願出願前に頒布された刊行物である特開昭６１−１４１２３１号公報（以下、引用例１という。）には、Ｍ系列符号で、デジタルデータ信号をスクランブルして送信する送信方法の発明に関して、次の記載がされている。
［発明が解決しようとする問題点］
　「しかし、従来の衛星放送のように、使用されるＭ系列符号が、例えば１種類のみであるとすれば、デスクランブルは簡単であり、その秘密性に問題がある。」
［問題点を解決するための手段］
　「（中略）Ｍ系列符号の生成多項式又はその初期値を所定タイミングで変えて、デジタルデータ信号をスクランブルして送信するものである。」
［実施例］
　「（中略）第１図は送信系を示しており、端子（ＩＴ）には音声信号ＳAが供給される。この音声信号ＳAは、（中略）合成器（４Ｔ）に供給される。この合成器（４Ｔ）では、後述するＭ系列符号発生器からのＭ系列符号の識別信号（以下、キーコードという）ＣKEYが付加される。このキーコードＣKEYとしては１フレーム後のＭ系列符号に対応するものとされる。
　合成器（４Ｔ）の出力信号は（中略）スクランブル回路を構成するイクスクルーシブオア回路（７Ｔ）の一方の入力側に供給される。
　また、（８Ｔ）はＭ系列符号発生器であり、スクランブル制御回路（９Ｔ）によって、所定タイミング毎にその生成多項式ｆ（x）が変えられる。（中略）尚、制御回路（９Ｔ）より上述したキーコードＣKEYが発生され、これが合成器（４Ｔ）に供給される。
　発生器（８Ｔ）からのＭ系列符号ＳMは、イクスクルーシブオア回路（７Ｔ）の他方の入力側に供給され、このイクスクルーシブオア（７Ｔ）の出力側にはＭ系列符号ＳMでスクランブルされた信号Ｓｓｃが得られる。
　ここで、Ｍ系列符号発生器（８Ｔ）は、例えば第３図に示すように構成される。（中略）制御回路（９Ｔ）のマイコン（２０）の出力端子Ｏ１〜Ｏ１０、Ｏ１０／１１には、”１”，”０”の信号が出力され、そして、フレーム同期信号ＦＳに同期してラッチ回路（２１）いはラッチパルスＰＬＡが供給され、この出力がラッチされる。これにより、アンド回路（１５１）〜（１５１０）等が制御され、発生器（８Ｔ）の生成多項式ｆ（x）、即ちパターンが決められる。このような動作はフレーム毎になされ、生成多項式ｆ（x）は所定フレーム毎に変えられる。上述したように制御回路（９Ｔ）より発生されるキーコードＣKEYは、このマイコン（２０）の出力端子Ｏ１〜Ｏ１０、Ｏ１０／１１に１フレーム後に出力される信号に対応するもの、即ち発生器（８Ｔ）における１フレーム後の生成多項式ｆ（x）に対応するものとされる。（中略）
　尚、本例のようにキーコードＣKEYを挿入して送信することにより、デスクランブルが可能である。本例の場合、このキーコードＣKEYもスクランブルされて送信されるので第三者が識別することはほとんど不可能である。（中略）
　また、上述実施例は発生器（８Ｔ）の生成多項式ｆ（x）を変えるものであるが、生成多項式は一定とし、その初期値を変えるようにしてもよい。
　第６図は、その場合における送信系のスクランブル制御回路（９Ｔ）及びＭ系列符号発生器（８Ｔ）を示しており、その他は第１図例と同様に構成される。（中略）（２５）は制御回路（９Ｔ）を構成するマイコンであり、その出力端子Ｏ１〜Ｏ１０には、上述した回路（２２），（２３）のＤフリップフロップの初期値を設定する初期値データが出力され、これが回路（２２），（２３）の端子Ａ〜Ｅに供給される。マイコン（２５）の出力端子Ｏｐからはフレーム同期信号ＦSに同期してプリセットイネーブル信号ＳKが出力され、これが回路（２２），（２３）のプリセットイネーブル端子に供給され、回路（２２），（２３）のＤフリップフロップの初期値は初期値データに基づいてプリセットされる。このような動作は、フレーム毎になされ、発生器（８Ｔ）の初期値は所定フレーム毎に変えられる。即ち、この発生器（８Ｔ）からは所定のフレーム毎に初期値の変えられたＭ系列符号ＫＳMが発生され、これによってスクランブルがされる。この場合、第１図例においてはキーコードＣKEYとして発生器（８Ｔ）の１フレーム後の生成多項式ｆ（x）に対応するものとされたが、本例の場合には、発生器（８Ｔ）の１フレーム後の初期値に対応するものとされる。（中略）
　また、上述実施例においては、Ｍ系列符号の生成多項式を変えるかあるいはその初期値を変えるかのいずれかであったが、これら双方を変えるように構成してもよい。」　
　
　同じく本願出願前に頒布された刊行物である特開昭５５−５５３８５号公報（以下、引用例２という。）には、暗号キイは適当に例えばメッセージ１通毎に更新されるようにしていること（第３頁右上欄１７行〜１９行）、暗号文データに暗号キイを指定するキイ番号を付加して送信するような手段が取られているため、暗号キイの同期に関する問題はないこと（第４頁右上欄１６行〜１９行）が記載されている。
３．対比
　本願発明と、引用例に示された、Ｍ系列符号の生成多項式とその初期値との双方を変えるように構成した装置によるスクランブル方法、つまり、第３図の生成多項式ｆ（x）を決める構成と第６図の生成多項式の初期値をプリセットする構成による機能をあわせ持つようなスクランブル方法の発明とを対比する。
　引用例１に記載された発明は、制御回路を構成するマイコンの出力端子から初期値データが出力され、回路（２２），（２３）のＤフリップフロップに初期値が設定されるので、前記マイコンには、当然、いくつかの、少なくとも２つの前記初期値データが予め出力可能に用意されているはずであるので、本願発明の「信号をスクランブルするための第１及び第２の鍵を用意し、」の要件を備えている。
　また、引用例１に記載された発明は、前記マイコンの出力端子からＭ系列符号発生器へ、所定タイミング毎に生成多項式ｆ（x）を変える信号が出力されて生成多項式が決定されるとともに、初期値データが所定のフレーム毎にプリセットされて、Ｍ系列符号が発生され、このＭ系列符号発生器からの出力により音声信号系の信号のスクランブルがされる。この場合の初期値データは鍵に相当し、設定される初期値データと決定される生成多項式ｆ（x）との組み合わせはいろいろ想定されるところ、用いる初期値データを第１及び第２として交互に設定する態様は通常想到される範囲内のもので示されているに等しく、且つ、交互に設定することは交互に切り換えて用いることに相当する（例えば、特開昭６３−１５１１３６号公報には、プリセット、つまり設定、が切換に相当することが示されている。）ので、本願発明の「上記第１及び第２の鍵を交互に切り換えて用いて上記信号をスクランブルし、」に相当する要件を備えている。 
　また、引用例１に記載された発明は、前記の態様のように、Ｍ系列符号発生器からは、決められた生成多項式ｆ（x）の基で、所定のフレーム毎に初期値の変えられたＭ系列符号が発生され、これにより音声信号に関する信号はスクランブルされるとともに、制御回路よりＭ系列符号発生器の１フレーム後の生成多項式に対応するキーコードＣKEYと初期値に対応するキーコードＣKEYが発生され、このキーコードが合成器（４Ｔ）に供給されて音声信号に関する信号と合成されるものが示されていると解され、初期値に対応するキーコードは鍵に対応するものであり、生成多項式に対応するキーコードは識別信号に相当するものであり、合成は多重に相当するので、引用例１に記載された発明と本願発明とは「上記第１及び第２の鍵を切り換えて用いてスクランブルされた信号と、ある情報と、スクランブルされた信号がいずれに基づいてスクランブルされたものであるかを示す識別信号とを多重して伝送することを特徴とするスクランブル方法」の要件を備えている。
　したがって、本願発明と引用例１に記載された発明とは
「信号をスクランブルするための第１及び第２の鍵を用意し、
　上記第１及び第２の鍵を交互に切り換えて用いて上記信号をスクランブルし、　
　上記第１及び第２の鍵を切り換えて用いてスクランブルされた信号と、ある情報と、スクランブルされた信号がいずれに基づいてスクランブルされたものであるかを示す識別信号とを多重して伝送することを特徴とするスクランブル方法。」
である点で一致し、次の点で相違する。
相違点１
　多重して伝送するものの中の、ある情報が、本願発明は「上記第１及び第２の鍵と、」であるのに対し、引用例１に記載された発明は第１の鍵に対応するキーコードである点。
相違点２
　多重して伝送するスクランブルされた信号とある情報（鍵又は鍵に対応するキーコード）との関係が、本願発明は「上記」鍵を切り換えて用いてスクランブルされた信号と「上記」鍵である関係、つまり鍵を用いてスクランブルされた信号と当該鍵の関係であるのに対し、引用例１に記載された発明は、スクランブルされる音声信号に関する信号と１フレーム後の初期値に対応するキーコードである点。
相違点３
　いずれに基づいてスクランブルされたものであるかを示す識別信号が、本願発明が「第１及び第２の鍵の」いずれかであるか、であるのに対し、引用例１に記載された発明は、生成多項式のいずれに基づいてスクランブルされるものであるかを示すキーコードである点。
　
４．当審判断
相違点１について
　引用例１に記載された発明は、いくつかの、少なくとも２つの前記初期値データが予め出力可能に用意されているはずであって、この複数の初期値データとキーコードによりそのうちの１つの鍵を特定するものと解されるところ、この種の同一（対称）鍵方式において、複数の鍵情報とそのうちの１つを特定する情報との組を用いて暗号化復号化する方法に関し、該複数の鍵（複数が第１及び第２の鍵であることが含まれることは自明）を伝送することは周知（例えば、特開昭６１−１７７０４６号公報には、複数ブロックのデータ暗号化キーを配送することについて記載されている。）であるから、引用例１に記載された発明の鍵に対応するキーコードを、第１及び第２の鍵と、とすることは当業者が容易になし得ることである。
相違点２について
　暗号文データに暗号キイを指定するキイ番号を付加して送信することにより、暗号文データと暗号キイの同期に関する問題を生じないようにすることは引用例２に記載されており、引用例２によれば、スクランブルされた信号（暗号文データ）と鍵に対応するキーコード又は鍵（キイ番号又は暗号キイ）とを多重（同期）して伝送することが示唆されているといえるから、これを参酌し、引用例１に記載された発明の、音声信号に関する信号と１フレーム後の初期値に対応するキーコードとの関係を、鍵を用いてスクランブルされた信号と当該鍵の関係とすることは、当業者が容易になし得ることである。
相違点３について
　多重して伝送するものの中の、ある情報は、受信側においてスクランブルされたときと同じＭ系列符号が発生されることを要し、これに関わる、鍵又は鍵に対応するものを要することは技術的常識であって、これを前記相違点１の、複数の鍵情報とそのうちの１つを特定する情報との組を用いて暗号化復号化する方法においては、複数の鍵のうちの用いられた１つを特定することを要することを意味し、この特定は、前記複数の鍵の伝送を含む場合であっても同様と解される。したがって、前記相違点１における前記第１及び第２の鍵を多重して伝送するとした場合、そのうちの用いられた１つのを特定する必要があることは自明であるから、引用例１に記載された発明の、いずれに基づいてスクランブルされたものであるかを示す識別信号として、第１及び第２の鍵のいずれかであるかを示すものとすることは当業者が容易になし得ることである。
　しかも、第１及び第２の鍵と、上記スクランブルされた信号が上記第１及び第２の鍵のいずれに基づいてスクランブルされたものであるかを示す識別信号と、を多重して伝送することは格別な技術思想に基づくものでなく、それによる明細書中に記載された効果も各引用例に示されたものから当然予測される程度のものと認めらる。
５．むすび
　したがって、本願発明は、引用例１、２に記載された発明に基いて当業者が容易に発明をすることができたものであるので、特許法第２９条第２項の規定により特許を受けることができない。
　よって、結論のとおり審決する。